(57)【要約】      （修正有）【課題】携帯性を向上させた茶具を提供する。【解決手段】茶具はポット本体を含み、ポット本体は内ポット本体１と外ポット本体２を含み、内ポット本体は外ポット本体に嵌着され、内ポット本体の頂側にはポット本体カバー３が可動的に取り付けられ、ポット本体カバーには茶を流出させるための出水孔４が設けられる、外ポット本体の頂部にはトップカバー５が移動可能に取り付けられ、トップカバーはポット本体カバーを覆う、そのうち、ポット本体カバーは上から下へ積層されて設置される第一層板及び第２層板を含み、第一層板と第２層板が貼り合わされ、第一層板の部分が第２層板から離れる方向に突出し且つ第２層板との間にキャビティが形成される。【選択図】図１
0003234976.tif 000002
【実用新案登録請求の範囲】
【請求項１】
茶具であって、
ポット本体を含み、前記ポット本体は内ポット本体(1)及び外ポット本体(2)を含み、前記
内ポット本体(1)は前記外ポット本体(2)に嵌着され、前記内ポット本体(1)の頂側にはポ
ット本体カバー(3)が可動的に取り付けられ、前記ポット本体カバー(3)に茶水が流れるた
めの出水孔が設けられ、前記外ポット本体(2)の頂側にはトップカバー(5)が被覆され、前
記トップカバー(5)は前記ポット本体カバー(3)を覆い、
前記ポット本体カバー(3)は上から下へ積層されて設置される第一層板(6)及び第2層板(7)
を含み、前記第一層板(6)と前記第2層板(7)が貼り合わされ、前記第一層板(6)の部分が前
記第2層板(7)から離れる方向に突出し且つ前記第2層板(7)との間にキャビティ(8)が形成
される、
茶具。
【請求項２】
請求項1に記載の茶具であって、前記外ポット本体(2)の底壁に上向きに突出する突出部(9
)が設けられ、前記内ポット本体(1)の底壁に上向きに凹んだスロット(10)が設けられ、前
記突出部(9)は前記スロット(10)に挿着される、
請求項１に記載の茶具。
【請求項３】
請求項1に記載の茶具であって、前記内ポット本体(1)の口部に外向きに延伸するフランジ
ング(11)があり、前記フランジング(11)は前記外ポット本体(2)の内壁に貼り合わせられ
る、
請求項１に記載の茶具。
【請求項４】
請求項2に記載の茶具であって、前記内ポット本体(1)の高さは前記外ポット本体(2)の高
さより小さく、前記第一層板(6)及び前記第2層板(7)の中央部は下向きに凹んで前記内ポ
ット本体(1)のポット本体口に嵌め込まれ、前記第一層板(6)と前記第2層板(7)の周縁は前
記外ポット本体(2)の内壁に貼り合わされる、
請求項２に記載の茶具。
【請求項５】
請求項1に記載の茶具であって、前記トップカバー(5)の側壁は階段状に設置され、それに
より前記トップカバー(5)が前記外ポット本体(2)に可動的に係合され、且つ前記トップカ
バー(5)は前記外ポット本体(2)の底部を嵌着することができる、
請求項１に記載の茶具。
【請求項６】
請求項1に記載の茶具であって、前記出水孔(4)の数は複数であり、前記出水孔(4)は一の
文字の形の孔であり、且つ前記出水孔(4)は前記ポット本体カバー(3)の縁部から前記ポッ
ト本体カバー(3)の中央に向かって延伸する、
請求項１に記載の茶具。
【請求項７】
請求項1に記載の茶具であって、さらに固定カラーを含み、前記固定カラーは前記トップ
カバー(5)及び前記外ポット本体本体(2)を囲む、
請求項１に記載の茶具。
【請求項８】
請求項1に記載の茶具であって、前記外ポット本体(2)と前記ポット本体カバー(3)との間
にカップ(12)が設けられる、
請求項１に記載の茶具。
【請求項９】
請求項1に記載の茶具であって、前記トップカバー(5)と前記ポット本体カバー(3)との間
にティーバッグが設けられる、
請求項１に記載の茶具。
【請求項１０】
請求項1に記載の茶具であって、前記茶具の製造材料は紙質材料である、
請求項１に記載の茶具。
【考案の詳細な説明】
【技術分野】
【０００１】
本実用新案は飲用茶具の技術分野に関し、特に茶具に関する。
【背景技術】
【０００２】
日常生活において、従来のティーポット本体はポット本体及びポット本体カバーを含み、
且つポット本体にハンドル及び細長いポット本体が設置される。使用者がティーポット本
体の外出を携帯する必要がある場合(例えば外出野の食事)、ハンドルと注ぎ口の存在によ
り、ティーポット本体全体が大きな空間を占め、携帯しにくい。またハンドルと注ぎ口は
外側ポット本体の外側に延伸する細長い構造であり、旅行中に衝突により破断することが
非常に容易であり、また携帯しにくい。従って従来のティーポット本体の携帯性は悪い。
【実用新案の内容】
【０００３】
本実用新案は、携帯性を向上させた茶具を提供することを目的とする。
【０００４】
前記茶具はポット本体を含み、ポット本体は内ポット本体と外ポット本体を含み、内ポッ
ト本体は外ポット本体に嵌着され、内ポット本体の頂側にはポット本体カバーが可動的に
取り付けられ、ポット本体カバーには茶を流出させるための出水孔が設けられる、外ポッ
ト本体の頂部にはトップカバーが移動可能に取り付けられ、トップカバーはポット本体カ
バーを覆う、そのうち、ポット本体カバーは上から下へ積層されて設置される第一層板及
び第2層板を含み、第一層板と第2層板が貼り合わされ、第一層板の部分が第2層板から離
れる方向に突出し且つ第2層板との間にキャビティが形成される。
【０００５】
任意選択的に、外部ボイラ本体の底壁には上向きに突出する突起が設けられ、内部ボイラ
本体の底部壁には上向きに凹んだスロットが設けられ、突起部はスロットに挿着される。
【０００６】
任意選択的に、内ポット本体のポット本体口に外向きに延伸するフランジングがあり、フ
ランジングは外ポット本体の内壁に貼り合わせられる。
【０００７】
任意選択的に、内部ボイラ本体の高さは外部ボイラ本体の高さより小さい、第一層板及び
第2層板の中央部は下部に凹んで内部ボイラ本体のポット本体口に嵌め込まれる、第一層
板及び第2層板の周縁は外部ボイラ本体の内壁に貼り合わされる。
【０００８】
任意選択的に、頂部カバーの側壁は階段状に設置され、それにより頂部カバーと外部ポッ
ト本体を可動係合させる、且つ頂部カバーは外部ポット本体の底部を嵌め込むことができ
る。
【０００９】
任意選択的に、出水孔の数は複数である、出水孔は一字形の孔であり、且つ出水孔はポッ
ト本体カバーの縁部からポット本体カバーの中央に向かって延在する。
【００１０】
任意選択的に、さらに固定カラーを含み、固定カラーがトップカバー及び外ポット本体本
体の周囲を囲む。
【００１１】
任意選択的に、外ポット本体とポット本体蓋との間にカップが設けられる。
【００１２】
任意選択的に、トップカバーとポット本体カバーとの間にティーバッグが設置される。
【００１３】
任意選択的に、製造材料は紙材料である。
【００１４】
本実用新案の実施例が提供する技術的解決手段は従来の技術に比べて以下の利点を有する
:
【００１５】
ポット本体蓋上の排水口はポット本体口の代わりに用いられ、茶の流出に用いられる、内
ポット本体は茶を取り付けるために用いられ、外ポット本体は内ポット本体を収容し、且
つ外ポット本体は断熱構造として使用者に手持ちされ、ハンドルの代わりに使用される、
従ってポット本体に設置された細長いポット本体ノズル及びハンドルを排除することによ
り、食器が占める空間及び茶具が損傷しやすくなることを防止し、それにより茶具を持ち
上げて携帯性を向上させる、また、キャビティにおいて、第一層板と第2層板との間隔が
大きく、断熱性が高く、手をこじつけることを回避することができる。
【図面の簡単な説明】
【００１６】
本明細書の図面は本明細書に組み込まれ、本明細書の一部を構成し、本実用新案の実施形
態を示しており、本明細書とともに本実用新案の原理を説明するために使用される。
【００１７】
本実用新案の実施例又は従来の技術的解決手段をより明確に説明するために、以下では実
施例又は従来の説明に必要な図面を簡単に説明し、明らかなように、当業者にとっては、
創造的努力性を犠牲にすることなく、これらの図面に基づいて他の図面を取得することが
できる。
【００１８】
【図１】本実用新案の一実施例における茶具の概略図である、
【００１９】
【図２】本実用新案の一実施例におけるポット本体蓋の概略図である、
【００２０】
【図３】本実用新案の一実施例におけるケトル本体の概略図である、
【００２１】
【図４】本実用新案の一実施例におけるトップカバーの概略図である。
【００２２】
1、内側ポット本体、2、外側ポット本体、3、ポット本体カバー、4、出水孔、5、トップ
カバー、6、第一層板、7、第2層板、8、キャビティ、9、突出部、10、スロット、11、バ
ーリング、12、茶碗。
【考案を実施するための最良の形態】
【００２３】
本実用新案の上記目的、特徴及び利点をより明確に理解できるようにするために、以下で
は本実用新案の解決手段を更に説明する。なお、衝突しない場合、本実用新案の実施例及
び実施例における特徴は互いに組み合わせることができる。
【００２４】
以下の説明では本実用新案を十分に理解するために多くの具体的な詳細を説明したが、本
実用新案は本明細書に記載された方法とは異なる方法で実施することができる、明らかに
、明細書における実施例は本実用新案の実施例に過ぎず、すべての実施例ではない。
【００２５】
本実用新案は茶碗を提供し、それはポット本体を含み、ポット本体は内部ポット本体1及
び外部ポット本体2を含み、内部ポット本体1は外部ポット本体2内に嵌着され、内部ポッ
ト本体1の頂側にはポット本体カバー3が可動に取り付けられ、ポット本体カバー3上には
茶を流出させるための出水孔4が設けられる、外部ポット本体2の頂部にはカバー5が可動
的に取り付けられ、トップカバー5はポット本体カバー3を覆う。ここで、ポット本体カバ
ー3は上から下へ積層されて設置される第一層板6及び第2層板7を含み、第一層板6と第2層
板7が貼り合わされ、第一層板6の部分が第2層板7から離れる方向に突出し且つ第2層板7と
の間にキャビティ8が形成される。
【００２６】
本実施例では、ポット本体カバー3上の排水口は、ポット本体ノズルの代わりに用いられ
、茶の流出に用いられる。内本体1は茶を取り付けることに用いられ、外ポット本体2は内
ポット本体1を嵌着し、且つ外ポット本体2は断熱構造として使用者に携帯され、ハンドル
の代わりに使用される。したがってケトル本体に設置された細長いポット本体ノズルとハ
ンドルを排除することにより、食器が占有する空間及び食器が損傷しやすくなることを低
減させ、それにより茶具を持ち上げて携帯性を向上させる。
【００２７】
本実施例において、第一層板6の部分は第2層板7から離れる方向に突出し、又は、第一層
板6の一部は第2層板7から離れる方向に凹み、それにより第一層板6には一つのアーチ状部
位が形成される。該アーチ部位と第2層板7との間はキャビティ8であり、且つ該キャビテ
ィ8において、第一層板6と第2層板7との間隔が大きく、断熱性が高く、手押しを回避する
ことができる。茶を注ぐ時に、ポット本体カバー3の落下を防止するために、該アーチ部
位を押圧することができる。
【００２８】
一部の実施例において、外側ボイラ2の底壁に上向きに突出する突起9が設けられ、内側ボ
イラ1の底壁に上向きに凹んだスロット10が設けられ、突起9がスロット10に挿着される。
【００２９】
本実施例では、外ポット本体2の底壁の部分は内ポット本体1の底壁に向かって凹んで、外
ポット本体2の底壁に内ポット本体1の底壁に向かって突出する突出部9が形成され、すな
わち上に突出した突出部9が形成される。内部ポット本体1の底壁の部分はポット本体カバ
ー3に向かって凹み、それにより内部ポット本体1の底壁に外部ポット本体2の底壁に向か
って凹んだスロット10が形成される。内部ポット本体1と外部ポット本体2は突出部9を介
してスロット10の可動プラグと着脱可能に接続される。且つ突出部9とスロット10との接
続方式はさらに制限構造とすることができ、内ポット本体1が外ポット本体2内で揺動する
ことを防止する。当然のことながら、好ましい実施例では、突出部9はスロット10と係合
する。
【００３０】
一部の実施例において、内側本体1のポット本体口に外側に延伸するフランジング11があ
り、フランジング11は外側ポット本体2の内壁に貼り合わせられる。
【００３１】
本実施例において、内側本体1の口部のフランジ11は外側に延伸し且つ外側本体2の内壁に
貼り合わされ、前記内側本体1の縁部と外側本体2の内壁との間の隙間が小さいか又は存在
せず、すなわちシール構造を形成する。そのために茶を注ぐ時に、外ポット本体2のポッ
ト本体口に残された茶は内ポット本体1と外ポット本体2との間隔に流れ込むことがない。
【００３２】
他方では、フランジ11も実際に外ポット本体2の内壁に当接し、バーリング11は一つの支
持構造に相当し、それにより内部ポット本体1の側壁と外部ポット本体2の側壁との間には
常に適切な間隔が存在する。したがって使用者が外部ポット本体2を手で握っても、バー
リング11の支持効果に基づき、ポット本体の側壁が外部ポット本体2の側壁と直接接触す
ることがない。当然ながら、更に内ポット本体1と外ポット本体2との間の断熱効果をより
確実にする。
【００３３】
一部の実施例において、内側本体1の高さは外側本体2の高さより小さい、第一層板6及び
第2板7の中央部は下向きに凹んで内側本体1の口部に嵌め込まれる、第一層板6及び第2板7
の周縁は外側ポット本体2の内壁に貼り合わされる。
【００３４】
本実施例では、ポット本体カバー3は外部ポット本体2のポット本体口に嵌め込まれる。具
体的には、ポット本体カバー3(即ち第一層板6と第2層板7)の周縁は外部ポット本体2の内
壁に貼り合わされ、シール構造の熱損失の減少を防止するだけでなく、ポット本体カバー
3の外ポット本体2の頂部での揺動も防止する。また第一層板6及び第2層板7の中央部は下
向きに凹んで内ポット本体1の口部に嵌め込まれ、内ポット本体1におけるシール構造を形
成して熱損失を減少させ、且つバーリング11も支持構造としてポット本体カバー3を支持
する。別の言い方をすれば、外側ポット本体2の側壁、フランジ11及び内側ポット本体1の
側壁は実際に段差構造を構成し、第2層板7も外側ポット本体2の頂部に嵌め込むことがで
きる階段構造を構成し、この2つの階段構造は互いに嵌合し、それによりポット本体蓋3と
ポット本体との密封接続を実現する。
【００３５】
本実施例において、第一層板6上のアーチ部は第一層板6の下部の凹部に位置する。
【００３６】
いくつかの実施形態では、キャップ5の側壁は、キャップ5が外側ポット本体2にスナップ
式に係合するように階段状に配置され、キャップ5は、外側ポット本体2の底部を覆うよう
に適合されてもよい。
【００３７】
本実施例において、トップカバー5の側壁は階段状に設置され、且つ外ポット本体本体2の
頂部が段差構造のコーナーに係合され、それによりトップカバー5と外ポット本体本体2と
が可動係合され、これによりトップカバー5の着脱を容易にする。
【００３８】
本実施例において、トップカバー5は外ポット本体2の底部を嵌着することができるため、
トップカバー5はポット本体パッドとして使用することができる。当然のことながら、ト
ップカバー5もカップとして使用することができる。
【００３９】
一部の実施例において、出水孔4の数は複数である、出水孔4は一つの字形の孔であり、且
つ出水孔4はポット本体カバー3の縁部からポット本体カバー3の中央に向かって延在する
。
【００４０】
本実施例において、複数の出水孔4は茶の注出量を増加させるだけでなく、ストレーナ構
造濾過茶葉を構成することができる。一方の字形の出水孔4は細長い構造であり、排水孔4
の濾過能力を向上させることに役立つ。且つ出水孔4がポット本体カバー3の縁部からポッ
ト本体カバー3の中央に向かって延伸するため、茶水を注ぐ時に、内ポット本体1から流出
する水流がより集中し、水流がカップ12外に倒れることがない。
【００４１】
いくつかの実施形態では、固定カラー(図示せず)をさらに含む固定カラー(図示せず)が、
キャップ5と外側ポット本体2との周りに固定される。
【００４２】
本実施例において、固定カラーはトップカバー5及び外ポット本体2に可動的に嵌着され、
トップカバー5及び外ポット本体2が分離することを防止する。茶を使用する必要がある場
合、固定カラーを取り外すと、茶碗の衛生を維持するのに役立つ。
【００４３】
一部の実施例において、外側本体2と蓋3との間にカップ12が設けられ、従ってポット本体
はカップ12の包装箱とすることができ、カップ12を単独で収容することを回避し、従って
茶の携帯性がより向上する。当然ながら、茶碗12の数は一つ以上であってもよく、例えば
2個、3個等である。
【００４４】
いくつかの実施形態では、蓋5と蓋3との間にティーバッグが設けられている。従ってトッ
プカバー5とポット本体カバー3はティーバッグの包装箱とすることができ、ティーバッグ
を単独で収納することができるため、茶具の携帯性がより向上する。当然ながら、ティー
バッグの数は一つ以上であってもよく、異なる風味の茶葉であってもよい。
【００４５】
いくつかの実施形態では、茶の製造材料は紙材料である。紙材料のお茶は軽くて小型であ
り、携帯に便利である。且つ紙材料の茶具は分解可能な使い捨て茶であり、洗濯する必要
がなく、複数人が共有することを回避するため、環境に優しい衛生である。
【００４６】
以下では図面を参照しながら茶具の使用方法について説明する。
【００４７】
第一ステップ、固定カラーを取り外し、更にトップカバー5を取り外し、ティーバッグを
取り出し、さらにポット本体カバー3を取り外し、さらにカップ12を取り出す。
【００４８】
第2ステップ、ティーバッグ内の茶葉を内ポット本体1内に注ぎ、さらに内ポット本体1内
に適量の温水を注ぎ、さらにポット本体蓋3をケトル本体に入れ、さらにカップ12を天蓋5
内に入れる。
【００４９】
第3ステップ、ユーザは外部ポット本体2を手で持ってカップ12にお茶を入れ、且つ使用者
はポット本体カバー3を押す必要があり、それによりポット本体カバー3が落下することを
防止する。
【００５０】
なお、本明細書において、「第1の」および「第2の」などの関係用語は、1つのエンティ
ティまたは動作と別のエンティティまたは動作とを区別するために用いられるのであって
、そのようなエンティティまたは動作の間にそのような実際の関係または順序が存在する
ことを必ずしも必要とするものではない。さらに、「包括」、「包含」という用語、また
はその他の任意の変形は、非排他的な包括的なものを包含することを意図しており、その
要素を含むプロセス、方法、物品または装置だけでなく、明示的に列挙されていない他の
要素を含むか、またはそのようなプロセス、方法、物品または装置に固有の要素をも含む
。さらに限定されることがない場合において、「1つの……を含む」という文によって限
定される要素は、前記要素を含むプロセス、方法、物品又は装置において他の同じ要素が
存在することを排除するものではない。
【００５１】
以上は本実用新案の具体的な実施形態に過ぎず、当業者が本実用新案を理解または実現す
ることができる。これらの実施形態に対する様々な変更が当業者には明らかであり、本明
細書で定義される一般的な原理は、本実用新案の精神または範囲から逸脱することなく、
他の実施形態で実施することができる。したがって、本実用新案は、本明細書に記載され
る実施形態に限定されるものではなく、本明細書に記載される実用新案の原理および新規
な特徴と一致する最も広い範囲を満たすべきである。
【図１】
0003234976.tif 000003
【図２】
0003234976.tif 000004
【図３】
0003234976.tif 000005
【図４】
0003234976.tif 000006